(57)【要約】【課題】特別なカーテンレールを用意することなく、吊られた状態で見た目に自然なウェーブを形成し、更に、カーテン地を折り畳んだ時の収束性がよいフラットカーテンを提供することを目的とする。【解決手段】カーテン地の上縁部に沿って複数の吊り具が所定の取付間隔で装着され、隣り合う吊り具と吊り具との間に規定される区間において、隣り合う吊り具と吊り具とが連結される連結区間Ｐ１・Ｐ３と、連結されない非連結区間Ｐ２とが交互に設けられ、連結区間において、隣り合う吊り具と吊り具とが、連結具６によって、取付間隔よりも狭い連結間隔によって連結されるウェーブ付きフラットカーテンとする。【選択図】図２
0003125248.tif 000002
【実用新案登録請求の範囲】
【請求項１】
カーテン地の上縁部に沿って複数の吊り具が所定の取付間隔で装着されており、
隣り合う吊り具と吊り具との間に規定される区間において、隣り合う吊り具と吊り具とが連結される連結区間と、隣り合う吊り具と吊り具とが連結されない非連結区間とが交互に設けられており、
前記連結区間において、隣り合う吊り具と吊り具とが、連結具によって、前記取付間隔よりも狭い連結間隔で連結されており、
前記カーテン地の上縁部において、カーテン地の湾曲によるウェーブが付設されていることを特徴とするウェーブ付きフラットカーテン
【請求項２】
前記連結具が、可撓性を有することを特徴とする前掲請求項１に記載のウェーブ付きフラットカーテン
【請求項３】
前記連結区間において、
前記吊り具が、前記連結具を係止する係止部を有する本体と、前記カーテン地の上縁部に挿入されて、本体の背面との間にカーテン地の上縁部を挟持する挿入桿と、ランナーに掛けられるフック体とを備えており、
本体が、フック体に対して相対回転可能であることを特徴とする前掲請求項１または２の何れかに記載のウェーブ付きフラットカーテン
【請求項４】
前記請求項１または２または３の何れかに記載の吊り具と、前記請求項１または２または３の何れかに記載の連結具とからなるカーテン吊り具セット
【考案の詳細な説明】
【技術分野】
【０００１】
本考案は、天部に襞を持たないフラットカーテンにウェーブを形成させる方法、それに用いられるカーテン吊り具セット、それによって得られるウェーブ付きフラットカーテンに関するものである。
【背景技術】
【０００２】
フラットカーテンは、従来の襞付きのカーテンに対して、カーテン地の使用量が少なくて済む為に経済的であり、見た目に軽快感があり、更に、鳩目やタブといった自分なりのアレンジがしやすく、更に、大きなモチーフによる柄模様がハッキリと表現される特徴を活かし、新しいカーテンスタイルとして人気を集めている。最近では、フラットカーテンに対して、吊られた状態で自然なウェーブを形成させる方法が行われている。
【０００３】
このような方法としては、隣接するランナーとランナーとの間隔を一定に保つための特殊なコードを取り付けたカーテンレールによって、その隣接ランナーの間隔を隣接吊り具の間隔より狭くなるようにフラットカーテンを吊り下げることが提案されている。しかしながら、この方法では、特殊なコードを取り付けたランナーを備えるカーテンレールを特別に用意する必要があり、更に、カーテン地を折り畳んだ時の収束性には全く配慮されていない。
【０００４】
また、特許文献１による発明では、カーテン地の上縁部に半月状のカーテン保形体を収容してウェーブを形成させる方法が開示されている。しかしながら、この方法では、カーテン保形体による完全に固定されたウェーブとなり、見た目に自然なウェーブが得られず、更に、カーテン地を折り畳んだ時の収束性には全く配慮されていない。
【０００５】
また、特許文献２による発明では、紐体を隣接吊り具の間隔よりやや狭い間隔で各吊り具に係止する方法が開示されている。しかしながら、この方法では、隣接吊り具で規定される全ての区間において、カーテン地の上縁部に形成される湾曲形状が同じ方向になり、上方からみた時に、半月状のウェーブが繰り返し形成されることとなり、見た目に自然なウェーブが得られない。
【特許文献１】特開２００６−２６３１９
【特許文献２】特開２００２−３４７７７
【考案の開示】
【考案が解決しようとする課題】
【０００６】
そこで、本考案では、特別なカーテンレールを用意することなく、吊られた状態で見た目に自然なウェーブを形成し、さらに、カーテン地を折り畳んだ時の収束性がよいフラットカーテンを提供することを目的とする。
【課題を解決するための手段】
【０００７】
本考案におけるウェーブ付きフラットカーテンは、カーテン地の上縁部に沿って複数の吊り具が所定の取付間隔で装着されており、隣り合う吊り具と吊り具との間に規定される区間において、隣り合う吊り具と吊り具とが連結される連結区間と、隣り合う吊り具と吊り具とが連結されない非連結区間とが交互に設けられており、前記連結区間において、隣り合う吊り具と吊り具とが、連結具によって、前記取付間隔よりも狭い連結間隔で連結されており、前記カーテン地の上縁部において、カーテン地の湾曲によるウェーブが付設されていることを第１の特徴とする。
【０００８】
本考案におけるウェーブ付きフラットカーテンは、前記連結具が、可撓性を有することを第２の特徴とする。
【０００９】
更に、本考案におけるウェーブ付きフラットカーテンは、連結区間において、前記取付間隔と前記連結間隔との比が１．２以上かつ２．０以下であることを第３の特徴とする。
【００１０】
更に、本考案におけるウェーブ付きフラットカーテンは、連結区間において、前記取付間隔と前記連結間隔との比が１．２以上かつ、１．６以下であることを第４の特徴とする。
【００１１】
更に、本考案におけるウェーブ付きフラットカーテンは、前記連結区間において、前記吊り具が、前記連結具を係止する係止部を有する本体と、前記カーテン地の上縁部に挿入されて、本体の背面との間にカーテン地の上縁部を挟持する挿入桿と、ランナーに掛けられるフック体とを備えており、本体が、フック体に対して相対回転可能であることを第５の特徴とする。
【００１２】
また、本考案におけるカーテン吊り具セットは、前記吊り具と、前記連結具とからなることを特徴とする。
【考案の効果】
【００１３】
本考案によると、連結区間において、所定の取付間隔を隔てて隣り合う吊り具と吊り具とが、連結具によって、前記取付間隔よりも狭い連結間隔で連結されるので、カーテン地の上縁部が湾曲し、更に、連結区間と非連結区間とでは、その湾曲する方向が反対になるので、従来の方法では得られなかったような見た目に自然なウェーブが形成される。
【００１４】
更に、本考案のウェーブ付きフラットカーテンによれば、特別なランナーを備えたカーテンレールを用意する必要がなく、通常のカーテンレールがそのまま使用できる。
【００１５】
更に、本考案のウェーブ付きフラットカーテンによれば、可撓性のある連結具を用いることで、カーテン地を折り畳んだときの収束性がよい。
【００１６】
更に、本考案のウェーブ付きフラットカーテンによれば、吊り具と連結具のセットを用意しておき、その取付間隔を適宜設定すれば、窓面積に合わせてフラットカーテンの巾を調整できる。
【００１７】
更に、本考案のウェーブ付きフラットカーテンによれば、吊り具の本体をフック体に対して相対回転可能に設けることで、連結具に引っ張られて吊り具の本体が回転するにしても、または、湾曲するカーテン地の上縁部に合わせるように吊り具の本体が回転するにしても、ランナーには回転力が働かず、ランナーの走行性を阻害しない。
【考案を実施するための最良の形態】
【００１８】
図１および図２は、本考案に係るウェーブ付きフラットカーテンを裏面側から見た図である。図１のように、カーテン地の上縁部１において、カーテン地の裏面に巾なりに設けられた芯地テープのポケットの部分に、複数の吊り具４１〜４４が所定の取付間隔Ａで取り付けられ、カーテンレールを走行するランナー３１〜３４に吊り掛けられる。このとき、吊り具の個数や取付間隔は、カーテン地と窓との巾サイズの関係において適宜設定すればよい。
【００１９】
このとき、隣接する吊り具と吊り具との間に規定される区間Ｐ１〜Ｐ３では隣接する吊り具と吊り具とが連結される連結区間と隣接する吊り具と吊り具とが連結されない非連結区間が交互に設けられる。即ち、区間Ｐ１では、吊り具４１と吊り具４２が、連結具６によって、取付間隔Ａよりも狭い連結間隔で連結される連結区間となり、同じく、区間Ｐ３では、吊り具４３と吊り具４４が、連結具６によって、取付間隔Ａよりも狭い連結間隔で連結される連結区間となる。
【００２０】
図２のように、連結区間Ｐ１・Ｐ３では、取付間隔Ａを隔てて隣り合う吊り具と吊り具とが、連結具６によって緊張された状態で連結される。これによって、連結区間内にあるカーテン地の上縁部がカーテン地の表面側に向かって突き出た湾曲形状になる。それと同時に、隣り合う吊り具と吊り具は、その本体が、湾曲形状になるカーテン地の上縁部に合わせるように軸芯の周りに回転し、略ハの字を成すことになる。これによって、非連結区間Ｐ２では、区間Ｐ１・Ｐ３とは反対となるカーテン地の裏面側に向かって突き出た湾曲形状になる。こうして、フラットカーテンに対して、見た目に自然なウェーブが付設されることになる。
【００２１】
このとき形成されるウェーブの形状を一層美しいものにするためには、区間Ｐ１〜Ｐ３における吊り具の取付間隔Ａと連結間隔Ｂとの比Ａ／Ｂが重要な要素となる。即ち、カーテンに美しいウェーブが形成される為の条件として、比Ａ／Ｂを１．２〜２．０に規定することが好ましい。比Ａ／Ｂが１．２未満であるとき、ウェーブの起伏が物足りないものとなり、また、比Ａ／Ｂが２．０より大きくなると、カーテン上縁部１にダブつきが生じて、美しいウェーブが得られない。一方で、比Ａ／Ｂが大きくなると、略ハの字を成すように回転する吊り具の回転角度が過大となってランナーを捩じる力が働き、ランナーの走行性が悪くなるという問題が発生する。ランナーの走行性を阻害しない為の条件として、比Ａ／Ｂが１．２〜１．６に規定することが好ましい。
【００２２】
本考案に係るウェーブ付きフラットカーテンで使用される連結具６としては、カーテンが折り畳まれたときの収束性を良くするために可撓性のあるもので、例えば、合成樹脂製のチェーンコードなどが挙げられる。さらに、軽量であること、吊り具に対して簡単に脱着できるように両端に結合部を設けておくこと、ウェーブ形状を目視しながら調節できるように長さを微調節できることがさらに好ましい条件となる。
【００２３】
図３のように、本考案に係るウェーブ付きフラットカーテンで使用される吊り具４１〜４４の例として、これに限定されるものではないが、本体２１と、本体の上方に設けられ、ランナーに吊り掛けるフック体２２と、本体２１の背面側において、下方から上方に延びる挿入桿２３とを備えており、本体２１には連結具が係止される係止部２４が設けられ、カーテン地の上縁部１が本体２１の背面側において、本体２１と挿入桿２３とによって挟持されるようになっている。さらに、本体２１が、フック体２２に対して相対的に回転するように嵌合されており、吊り具が略ハの字を成すように回転するとき、本体２１がフック体２２とは無関係に回転する（即ち、図３の左図の状態から右図の状態になる）ので、ランナーを捩る力が働かず、ランナーの走行性を阻害しない。また、吊り具４１〜４４をアジャスターフックにすれば、ウェーブの形状を目視しながら微調節できるので好ましい。
【００２４】
このとき、吊り具と連結具とをカーテン吊り具セットとしておけば、既設のフラットカーテンにおいても、後から簡単にウェーブを形成させることができる。
【００２５】
こうして得られるウェーブ付きフラットカーテンは、吊られた状態で、見た目に自然なウェーブが簡単に得られ、カーテンの基本性能である折り畳んだときの収束性、カーテンの着脱容易性にも優れるものとなる。
【図面の簡単な説明】
【００２６】
【図１】連結具によって吊り具と吊り具とを連結する前の状態のフラットカーテンを裏面側から見た図である。
【図２】本考案に係るウェーブ付きフラットカーテンであって、連結具によって吊り具と吊り具とを連結した状態を裏面側から見た図である。
【図３】本考案に係るウェーブ付きフラットカーテンで使用される吊り具を示す図である。
【符号の説明】
【００２７】
１：カーテン地の上縁部
２１：（吊り具の）本体
２２：フック体
２３：挿入桿
２４：係止部
３１〜３４：ランナー
４１〜４４：吊り具
６：連結具
Ｐ１、Ｐ３：連結区間
Ｐ２：非連結区間
Ａ：取付間隔
Ｂ：連結間隔
【図１】
0003125248.tif 000003
【図２】
0003125248.tif 000004
【図３】
0003125248.tif 000005